(57)【要約】【課題】本発明は、たとえ移動端末が基地局との間で無線ＬＡＮ通信を行う場合であっても、ハンドオーバの際のスキャン処理を効率的短時間に行うことができる無線通信システムを提供する。【解決手段】本発明に係る無線通信システムでは、基地局２０１，２５１，２６１は、自局に隣接する隣接基地局に設定されているチャンネルを表す隣接チャンネル情報を少なくとも含むビーコン信号を生成し、出力する。移動端末１０１は、ビーコン信号に含まれる隣接チャンネル情報を抽出する。さらに、移動端末１０１は、ハンドオーバの際には、抽出した隣接チャンネル情報に従ったチャンネルが設定されている隣接基地局からの信号の受信状態を試験する（スキャン処理）。【選択図】  図１
2008271011.tif 000002
【特許請求の範囲】
【請求項１】
複数の基地局と、
前記基地局と無線通信を行う移動端末とを、備えており、
前記基地局は、
自局に隣接する隣接基地局に設定されているチャンネルを表す隣接チャンネル情報を、少なくとも含むビーコン信号を生成する基地局側ビーコン処理部と、
前記ビーコン信号を、前記移動端末に送信する基地局側無線送信部とを、有しており、
前記移動端末は、
前記ビーコン信号を受信する移動端末側無線受信部と、
前記ビーコン信号に含まれる前記隣接チャンネル情報を抽出する、移動端末側ビーコン処理部とを、有しており、
前記移動端末は、
ハンドオーバの際には、前記抽出した隣接チャンネル情報に従った前記チャンネルが設定されている前記隣接基地局からの信号の受信状態を試験する、
ことを特徴とする無線通信システム。
【請求項２】
前記複数の基地局と通信可能な上位基地局を、さらに備えており、
前記基地局は、
前記上位基地局から送信される、前記自局に設定されるチャンネルを表す自局チャンネル情報と前記隣接チャンネル情報とを受信するチャンネル情報受信部を、さらに有している、
ことを特徴とする請求項１に記載の無線通信システム。
【請求項３】
前記基地局は、
前記自局に設定されるチャンネルを表す自局チャンネル情報と前記隣接チャンネル情報とが、予め記憶されているメモリ部を、さらに有している、
ことを特徴とする請求項１に記載の無線通信システム。
【請求項４】
前記移動端末は、
前記基地局から送信される信号の受信レベルに応じて、優先的に前記試験を行う無線周波数帯域を選択する、
ことを特徴とする請求項１乃至請求項３のいずれかに記載の無線通信システム。
【請求項５】
見通しの良い場所に設置されている前記基地局には、
伝送効率を優先した第一の無線周波数帯域が設定され、
見通しの悪い場所に設置されている前記基地局には、
回折効果を優先した第二の無線周波数帯域が設定される、
ことを特徴とする請求項１乃至請求項４のいずれかに記載の無線通信システム。 
【発明の詳細な説明】
【技術分野】
【０００１】
この発明は、無線通信システムに係る発明であり、たとえば、ＩＥＥＥ８０２．１１ａ／ｂ規格の無線ＬＡＮが適用され、無線周波数切替が可能な移動端末を有する、無線通信システムに適用することができる。
【背景技術】
【０００２】
複数の基地局と当該基地局と通信可能な移動端末とを備える無線通信システムとして、たとえば特許文献１が存在する。
【０００３】
特許文献１に係る技術は、移動端末宛のデータが基地局から時分割的に送信されるシステムを前提としている。当該技術において、移動端末は、たとえばハンドオーバの際に、受信データを取りこぼさないよう自局宛のデータが無いタイミングで、現在の接続先以外の基地局チャンネルをスキャンしている（つまり、切替えた無線周波数における受信状態を試験している。以下、当該試験処理をスキャンと称する）。そして、当該スキャンの結果、移動端末は、より最適な基地局との通信のために所定の無線周波数にチャンネルを切替る。
【０００４】
【特許文献１】特開平１−２１８１３５号公報
【発明の開示】
【発明が解決しようとする課題】
【０００５】
特許文献１に係る技術は、データが時分割的に送信される方式を利用したシステムが前提となっている。したがって、ＤＣＦ（自律分散制御）方式である無線ＬＡＮのように、ランダムなデータの送受信を行う通信システムでは、当該特許文献１に係る技術を採用することができない。つまり、当該通信システムに特許文献１に係る技術を採用しても、移動端末は、必要なデータを取りこぼさずにスキャンタイミングを計ることはできない。
【０００６】
また、特許文献１に係る技術では、直進性の強い無線周波数帯域を使用したときの、不感地帯の発生を回避する考慮が抜けている。ここで不感地帯とは、基地局からの電波が壁等で遮られ、移動端末が基地局と通信できない地帯のことである。当該不感地帯が存在すると、音声データのようなリアルタイム性が要求されるサービスに対し、音切れ等の重大な支障をもたらす。
【０００７】
そこで、本発明は、たとえ移動端末が基地局との間で無線ＬＡＮ通信を行う場合であっても、ハンドオーバの際のスキャン処理を効率的短時間に行うことができる（換言すれば、スキャン処理によるデータ通信断時間を最小限に抑えることができる）、無線通信システムを提供することを目的とする。さらには、見通しの悪い場所では不感地帯の発生を回避し、見通しの良い場所では伝送効率の高い通信を可能にする、無線通信システムを提供することを目的とする。
【課題を解決するための手段】
【０００８】
上記の目的を達成するために、本発明に係る請求項１に記載の無線通信システムは、複数の基地局と、前記基地局と無線通信を行う移動端末とを、備えており、前記基地局は、自局に隣接する隣接基地局に設定されているチャンネルを表す隣接チャンネル情報を、少なくとも含むビーコン信号を生成する基地局側ビーコン処理部と、前記ビーコン信号を、前記移動端末に送信する基地局側無線送信部とを、有しており、前記移動端末は、前記ビーコン信号を受信する移動端末側無線受信部と、前記ビーコン信号に含まれる前記隣接チャンネル情報を抽出する、移動端末側ビーコン処理部とを、有しており、前記移動端末は、ハンドオーバの際には、前記抽出した隣接チャンネル情報に従った前記チャンネルが設定されている前記隣接基地局からの信号の受信状態を試験する。
【発明の効果】
【０００９】
本発明の請求項１に記載の無線通信システムでは、基地局は、自局に隣接する隣接基地局に設定されているチャンネルを表す隣接チャンネル情報を少なくとも含むビーコン信号を生成し、出力する。移動端末は、ビーコン信号に含まれる隣接チャンネル情報を抽出する。さらに、移動端末は、ハンドオーバの際には、抽出した隣接チャンネル情報に従ったチャンネルが設定されている隣接基地局からの信号の受信状態を試験する（スキャン処理）。
【００１０】
したがって、無線ＬＡＮ等におけるランダムな送受信を行う無線通信システムでも、効率的に短時間に上記スキャン処理を実施することができる。
【発明を実施するための最良の形態】
【００１１】
以下、この発明をその実施の形態を示す図面に基づいて具体的に説明する。
【００１２】
＜実施の形態１＞
以下、本発明の実施の形態１を図１、図２、図３を参照して説明する。図１は、無線通信システムの構成を示す図である。図２は、本発明が想定しているシステムの利用形態例を示す図である。図３は、本発明における無線周波数帯切替の概念を示す図である。なお、図１では説明を明確化するため、機能ブロックのみが簡略化され示されている。また、各基地局２０１，２５１，２６１の内部構成は同じであるので、図面簡略化のために図１において、基地局２５１，２６１の内部構成の図示を省略している。
【００１３】
図１に示すように、本発明に係る無線通信システムは、移動端末１０１、複数の基地局２０１，２５１，２６１、および上位基地局３０１から構成されている。移動端末１０１と各基地局２０１，２５１，２６１との間では、無線ＬＡＮ６０１を介した通信が行われている。また、基地局２０１，２５１，２６１と上位基地局３０１との間では、有線ＬＡＮ４０１を介した通信が行われている。
【００１４】
本発明における上位基地局３０１は、有線ＬＡＮ４０１を介して各基地局２０１，２５１，２６１と通信可能であり、当該各基地局２０１，２５１，２６１に対して、後述する自局チャンネル情報および隣接チャンネル情報を通知する。
【００１５】
図１に示すように、本発明における基地局２０１，２５１，２６１は、制御部２０２、ビーコン処理部２０３、および無線送受信部２０４から構成されている。
【００１６】
制御部（チャンネル情報受信部と把握できる）２０２は、上位基地局３０１から有線ＬＡＮ４０１を介して通知される、自局チャンネル情報および隣接チャンネル情報を受信する。ここで、基地局２０１に着目すると、自局チャンネル情報とは、自局である基地局２０１に設定されるチャンネルを表す情報であり、隣接チャンネル情報とは、自局２０１に隣接する隣接基地局２５１に設定されるチャンネルを表す情報である。ビーコン処理部２０３は、上記隣接チャンネル情報が少なくとも情報要素として含まれたビーコン信号を生成する。無線送受信部２０４は、上記制御部２０２から通知された自局チャンネル情報に従い通信時のチャンネルを設定し、無線ＬＡＮ６０１を介して移動端末１０１に上記ビーコン信号等を送信することができる。
【００１７】
図１に示すように、本発明における移動端末１０１は、無線送受信部１０２、制御部１０３、およびビーコン処理部１０４で構成されている。
【００１８】
無線送受信部１０２は、無線ＬＡＮ６０１を介して基地局２０１，２５１，２６１から送信されるビーコン信号等を受信する部分である。制御部１０３は、上記無線送受信部１０２から受信フレームを受け取り、上記受信フレームから制御フレームを抽出する。さらに、制御部１０３は、当該抽出した制御フレームに従って、基地局２０１，２５１，２６１との接続を制御する。ビーコン処理部１０４は、上記制御部１０３内に配設されており、基地局２０１，２５１，２６１から送信されるビーコン信号から隣接チャンネル（隣接ｃｈ）を抽出する。また、ビーコン処理部１０４は、スキャンの際におけるチャンネルを無線送受信部１０２に指示する。
【００１９】
ここで、無線ＬＡＮ６０１には、周知の無線ＬＡＮ技術であるＩＥＥＥ８０２．１１規格が代表的に適用される。
【００２０】
次に、図２を参照して、本実施の形態に係る無線通信システムの動作について説明する。
【００２１】
図２は、移動端末１０１が、基地局２０１の無線セル７０１から基地局２５１の無線セル７０２を経由して、基地局２６１の無線セル７０３に移動する場合を示している。図２に示すように、基地局２６１は、衝立のある会議室（見通しの悪い場所）の天井に設定されているものとする。これに対して、基地局２０１および基地局２５１は、電波を遮断する障害物の無い見通しの良いフロアの天井に設置されているものとする。
【００２２】
はじめに、当該設置状況において、上位基地局３０１において、以下のチャンネル情報設定処理（インプット）を行う。
【００２３】
上記のような見通しの良い場所では、直進性の強い無線周波数帯域を基地局２０１，２５１の無線通信周波数に設定したとしても、移動端末１０１が基地局２０１，２５１と通信できない不感地帯が発生することは無い。したがって、基地局２０１，２５１に、直進性は強く、伝送効率の高い（伝送効率を優先した）無線周波数帯域（たとえばＩＥＥＥ８０２．１１ａ）のチャンネルが設定・割り当てられるように、上位基地局３０１には、所定のチャンネル情報の設定がインプットされる。
【００２４】
他方、基地局２６１は見通しの悪い場所に設定されているため、当該基地局２６１に上記ＩＥＥＥ８０２．１１ａを無線通信周波数帯域として設定すると、衝立の近傍で不感地帯が発生する。上記のような見通しの悪い場所では、伝送効率は低いが電波の伝播特性を考慮し回折効果のある（回折効果を優先した）無線周波数帯域（たとえばＩＥＥＥ８０２．１１ｂ）を用いた通信が有益である。したがって、上記不感地帯の発生を回避するために、基地局２６１に、当該ＩＥＥＥ８０２．１１ｂ等の無線周波数帯域のチャンネルが設定・割り当てられるように、上位基地局３０１には、所定のチャンネル情報の設定がインプットされる。
【００２５】
次に、システム構築の際に、上記のような所定のチャンネル情報がインプットされると、上位基地局３０１は、有線ＬＡＮ４０１を介して、当該インプットに従ったチャンネル割り当てを各基地局２０１，２５１，２６１に通知する。つまり、上位基地局３０１は、各基地局２０１，２５１，２６１に対して、自局チャンネル情報を通知する。さらに、上位基地局３０１は、当該インプットに従って、各基地局２０１，２５１，２６１に対して有線ＬＡＮ４０１を介して、隣接チャンネル情報を通知する。
【００２６】
たとえば、図２の構成の場合には、基地局２０１には、自局に設定されるチャンネルを表す自局チャンネル情報と、隣接基地局（基地局２５１）に設定されるチャンネルを表す隣接チャンネル情報とが、通知される。また、基地局２５１には、自局に設定されるチャンネルを表す自局チャンネル情報と、隣接基地局（基地局２０１，２６１）に設定されるチャンネルを表す隣接チャンネル情報とが、通知される。また、基地局２６１には、自局に設定されるチャンネルを表す自局チャンネル情報と、隣接基地局（基地局２５１）に設定されるチャンネルを表す隣接チャンネル情報とが、通知される。
【００２７】
上記のように、自局チャンネル情報と隣接チャンネル情報とを受信した各基地局２０１，２５１，２６１は、自局チャンネル情報に従い、自局のチャンネルを所定の無線周波数に設定する。さらに、各基地局２０１，２５１，２６１は、隣接チャンネル情報を自局から送信されるビーコン信号の情報要素に設定する。つまり、各基地局２０１，２５１，２６１は、自局チャンネル情報と隣接チャンネル情報とも含むビーコン信号を生成する。
【００２８】
次に、各基地局２０１，２５１，２６１は、当該生成したビーコン信号を、移動端末１０１に向けて送信する。
【００２９】
当該ビーコン信号を受信した移動端末１０１は、受信した各ビーコン信号から隣接チャンネルを夫々抽出する。
【００３０】
さて、移動端末１０１は、基地局２０１に帰属し、無線セル７０１内で通信（たとえば通話）を行いながら、基地局２５１にハンドオーバする。上記ハンドオーバの際には、移動端末１０１は、基地局２０１から受信したビーコン信号から隣接チャンネル情報を予め抽出しており、当該ハンドオーバの際には、当該抽出した隣接チャンネル情報で示されたチャンネルを優先的にスキャンする。つまり、移動端末１０１は、ハンドオーバの際には、基地局２０１のビーコン信号から抽出した隣接チャンネル情報に従ったチャンネルが設定されている、隣接基地局２５１からの信号の受信状態を試験する（スキャン処理）。
【００３１】
このような動作により、スキャンによるデータ通信断時間を最小限に抑え、効率的にハンドオーバを行うことができる。
【００３２】
上記特許文献１に係る技術では、移動端末は受信データを取りこぼさないように、自局宛のデータが無いタイミングでスキャンすることを前提としており、上記のデータが無いタイミングを予め基地局から通知する必要があった。ところが、無線ＬＡＮのようなランダムに通信するシステムに対して、当該従来の技術では、データを送信するタイミングを予測することができず、移動端末に受信データが無いタイミングを事前に通知することができない。
【００３３】
しかし、本実施の形態に係る発明では、ビーコン信号には隣接チャンネル情報が含まれているので、移動端末１０１は、帰属先の基地局２０１，２５１，２６１から任意のタイミングでビーコン信号を受信することにより、スキャンすべきチャンネルを事前に認識できる。このため、ハンドオーバの際に、接続先基地局の存在するチャンネルを優先的にスキャンすることができるので、スキャンによる通信断時間を最小限に抑えることができる。
【００３４】
さて、基地局２５１にハンドオーバした移動端末１０１は、さらに会議室の衝立を通り基地局２６１の無線セル７０３内に進入する。移動端末１０１は、衝立により基地局２５１からの電波受信レベルが劣化することにより、基地局２６１にハンドオーバする。
【００３５】
当該ハンドオーバに際し、移動端末１０１は、基地局２５１に帰属時に、同基地局２５１から送信されたビーコン信号から隣接チャンネル情報を抽出している。当該隣接チャンネル情報には、ハンドオーバ先である基地局２６１のチャンネルを表す情報が含まれている。
【００３６】
このように、移動端末１０１は、基地局２５１から基地局２６１のハンドオーバの際に、基地局２５１から送信されたビーコン信号から抽出したチャンネル情報に従って、スキャン処理を実施する。これにより、短時間で効率的に基地局２６１へのハンドオーバを実現することができる。
【００３７】
ここで、会議室の衝立による不感地帯の発生を回避するため、上記の通り、伝送効率は低いが電波の伝播特性から回折効果のある無線周波数帯域（たとえば、ＩＥＥＥ８０２．１１ｂ）により無線セル７０３は生成されている。したがって、移動端末１０１は衝立のある会議室でも不感地帯に入ることなく、基地局２６１との通信を継続できる。
【００３８】
次に、上記各スキャン処理の結果施される、ハンドオーバ時における移動端末１０１の無線周波数帯切替方法を、図３を用いて説明する。ここで、上記の通り、伝送効率の高い無線周波数帯域ＩＥＥＥ８０２．１１ａは、伝送効率の低い無線周波数帯域ＩＥＥＥ８０２．１１ｂより受信感度が低い。したがって、通信品質（受信エラーが規定の範囲内にある状態）を確保できる受信レベルは、無線周波数帯域ＩＥＥＥ８０２．１１ａの方が、無線周波数帯域８０２．１１ｂより高くする必要がある。
【００３９】
移動端末１０１は、スキャン処理中に基地局２０１，２５１，２６１から送信された信号（ビーコン信号、制御・マネージメント信号、またはデータフレーム）の受信レベルと、予め設定されている所定の閾値とを比較して、受信周波数帯域の切替を行う（チャンネルの切替）。換言すれば、移動端末１０１は、基地局２０１，２５１，２６１から送信される信号の受信レベルに応じて、優先的にスキャンを行う無線周波数帯域を選択する。
【００４０】
ここでは、各無線周波数帯域の受信感度を考慮し、移動端末１０１には、１１ａ品質保証閾値５０２、１１ａ圏外判定閾値５０４、および１１ｂ圏外判定閾値５０６が予め設定されている（図３参照）。
【００４１】
ここで、１１ａ品質保証閾値５０２は、移動端末１０１が無線周波数帯域としてＩＥＥＥ８０２．１１ａを適用した際の、受信エラーが規定の範囲内にある状態を確保できる受信レベルである。当該受信エラーの規定範囲は、システム構築の際に適宜決定される。
【００４２】
また、１１ａ圏外判定閾値５０４は、移動端末１０１が無線周波数帯域としてＩＥＥＥ８０２．１１ａを適用した際の、圏外判定を行う受信レベルである（つまり、通信の継続が困難と判断される受信レベルである）。当該受信レベルは、システム構築の際に適宜決定される。
【００４３】
また、１１ｂ圏外判定閾値５０６は、移動端末１０１が無線周波数帯域としてＩＥＥＥ８０２．１１ｂを適用した際の、通信の継続が困難と判断される受信レベルである。当該受信レベルは、システム構築の際に適宜決定される。
【００４４】
さて、図３において、１１ａ品質保証閾値５０２より受信レベルが高い場合、つまり、基地局２０１，２５１，２６１から送信される信号の受信レベルが１１ａ優先選択区間５０１に属する場合では、移動端末１０１は、ハンドオーバの際にＩＥＥＥ８０２．１１ａ周波数帯域を優先的にスキャンする。
【００４５】
たとえば、図２に示すシステムの利用形態では、移動端末１０１が基地局２０１に帰属時に、基地局２５１の無線周波数（ＩＥＥＥ８０２．１１ａ）フレームおよび基地局２６１の無線周波数（ＩＥＥＥ８０２．１１ｂ）フレームの両方を受信できる。移動端末１０１における信号の高い方の受信レベルが１１ａ品質保証閾値５０２より大きい場合、移動端末１０１は上記スキャン処理において無線周波数帯域ＩＥＥＥ８０２．１１ａを優先的に選択する。さらに、移動端末１０１は、基地局２０１からのビーコン信号に含まれる隣接チャンネル情報として、基地局２５１のチャンネルを事前に認識している。したがって、ハンドオーバの際に移動端末１０１は、無線周波数帯域８０２．１１ａの中でも基地局２５１のチャンネルを優先的にスキャンする。
【００４６】
なお、たとえば、移動端末１０１が事前の隣接チャンネル情報を有しておらず、基地局２０１，２５１，２６１からの信号の移動端末１０１における高い方の受信レベルが１１ａ品質保証閾値５０２より大きい場合（受信レベルが１１ａ優先選択区間５０１内にある場合）は、ハンドオーバの際に当該移動端末１０１は、無線周波数帯域ＩＥＥＥ８０２．１１ａ内に属する全てのチャンネルを順番にスキャンする。
【００４７】
また、移動端末１０１における受信レベルが、１１ａ品質保証閾値５０２と１１ａ圏外判断閾値５０４との間である１１ｂ優先区間５０３に属する場合を想定する。この場合には、この１１ｂ優先区間５０３が１１ａ品質保証閾値５０２以下であることから、移動端末１０１の無線周波数帯域をＩＥＥＥ８０２．１１ａとした場合に通信品質が劣化する。したがって、移動端末１０１は、上記スキャン処理に際して、無線周波数帯域としてＩＥＥＥ８０２．１１ｂを優先する。
【００４８】
上記の１１ｂ優先区間５０３は、図２における無線セル７０２と無線セル７０３の境界付近、つまり、会議室の衝立近傍での無線電波状況に該当する。
【００４９】
移動端末１０１が無線セル７０２と無線セル７０３の境界に存在する場合、移動端末１０１は、基地局２５１の無線周波数帯域（ＩＥＥＥ８０２．１１ａ）フレームおよび基地局２６１の無線周波数帯域（ＩＥＥＥ８０２．１１ｂ）フレームの両方を受信できる。移動端末１０１の高い方の受信レベルが１１ｂ優先区間５０３にある場合は、移動端末１０１は、ハンドオーバの際のスキャン処理において無線周波数帯域ＩＥＥＥ８０２．１１ｂを優先的に選択する。
【００５０】
図２に示す移動端末１０１の移動方向では、移動端末１０１は、基地局２５１に帰属時に基地局２６１から送信されるビーコン信号に含まれる隣接チャンネル情報を事前に認識している（つまり、基地局２６１のチャンネルを事前に認識している）。したがって、無線周波数帯域８０２．１１ｂの中でも基地局２６１に設定されているチャンネルを、移動端末１０１は優先的にスキャンする。
【００５１】
なお、たとえば、移動端末１０１が事前の隣接チャンネル情報を有しておらず、基地局２０１，２５１，２６１からの信号の移動端末１０１における受信レベルが１１ｂ優先区間５０３に属する場合は、ハンドオーバの際に当該移動端末１０１は、無線周波数帯域ＩＥＥＥ８０２．１１ｂ内に属する全てのチャンネルを順番にスキャンする。さらに、当該スキャン処理において、移動端末１０１が基地局２０１，２５１，２６１を検出できない場合には、移動端末１０１は、次にＩＥＥＥ８０２．１１ａの全チャンネルをスキャンする。
【００５２】
さて、基地局２０１，２５１，２６１からの信号の移動端末１０１における高い方の受信レベルが、１１ｂ区間５０５に属している場合を想定する。当該１１ｂ区間５０５は、１１ａ圏外判定閾値５０４以下であり、また、１１ｂ圏外判定閾値５０６より受信レベルが高い。したがって、前記場合には、移動端末１０１が無線周波数帯域ＩＥＥＥ８０２．１１ａを適用した場合には、通信継続ができないが、無線周波数帯域ＩＥＥＥ８０２．１１ｂを選択した場合には、移動端末１０１は通信可能となる。
【００５３】
移動端末１０１における（高い方の）受信レベルが１１ｂ区間５０５に属する場合とは、図２のシステム利用形態例では、無線セル７０３の周辺領域が該当する。当該場合には、基地局２６１に帰属した移動端末１０１は、ハンドオーバの際には、無線周波数帯域８０２．１１ｂの全チャンネルを順にスキャンする。
【００５４】
なお、基地局２０１，２５１，２６１からの信号の移動端末１０１における受信レベルが、１１ｂ圏外判定閾値５０６以下である完全圏外５０７に属する場合には、移動端末１０１は、無線周波数帯域ＩＥＥＥ８０２．１１ａおよび無線周波数帯域ＩＥＥＥ８０２．１１ｂを適用したとしても、当該移動端末１０１は、基地局２０１，２５１，２６１との通信品質が確保できなくなる。
【００５５】
なお、ハンドオーバの際には、上記各スキャン処理の結果、最も受信レベルの高い信号を受信することができる無線周波数に、移動端末１０１は自局のチャンネルを設定（変更）する。
【００５６】
以上のように、本実施の形態に係る無線通信システムによれば、基地局２０１，２５１，２６１から送信されるビーコン信号には、隣接チャンネル情報が含まれている。そして、移動端末１０１は、当該ビーコン信号から隣接チャンネル情報を抽出することができる。
【００５７】
したがって、移動端末１０１が帰属先の基地局２０１，２５１，２６１から任意のタイミングでビーコン信号を受信することにより、当該移動端末１０１は、ハンドオーバの際にスキャンすべきチャンネルを事前に認識できる。よって、無線ＬＡＮ等におけるランダムな送受信を行う通信システムでも、効率的に短時間に上記スキャン処理を実施することができる。
【００５８】
また、本実施の形態に係る無線通信システムは、当該各基地局２０１，２５１，２６１へのチャンネル割付を行う上位基地局３０１を備えている。
【００５９】
したがって、基地局台数を増加させる必要があり、各基地局のチャンネル割り付けが複雑となる場合において、上位基地局３０１では、当該チャンネル割付を集中的に一括制御することができる。よって、前記場合において、当該上位基地局３０１を有するシステムはより有効的なものとなる。
【００６０】
また、本実施の形態に係る無線通信システムでは、基地局２０１，２５１，２６１の設置状況に応じて、各基地局２０１，２５１，２６１に電波の伝播特性を考慮した周波数帯域の割り付けを行っている。そして、基地局２０１，２５１，２６１からの信号の受信レベルに応じて、ハンドオーバの際にスキャンすべき無線周波数帯域を選択している。
【００６１】
したがって、見通しの良い場所では伝送効率の高い通信を可能にし、見通しの悪い場所でも不感地帯の発生を回避し通信を継続する、という特徴を持つ無線周波数切替方式を実現することができる。
【００６２】
＜実施の形態２＞
図４は、本実施の形態に係る無線通信システムの構成を示す図である。
【００６３】
図４に示す無線通信システムは、実施の形態１で説明した図１と機能的に等価な構成である。しかし、構成において、図４に示す無線通信システムと図１で示した無線通信システムとは、以下の点において相違する。
【００６４】
つまり、本実施の形態に係る無線通信システムは、上位基地局３０１を有さない。その代わりに、当該無線通信システムでは、各基地局２０１，２５１，２６１は、チャンネル初期値メモリ部２０５をさらに備えている。当該チャンネル初期値メモリ部２０５には、自局チャンネル情報と隣接チャンネル情報とが予め格納される。
【００６５】
なお、上記相違点以外の構成は、実施の形態１と同じである。また、上記点の構成が異なるのみで、本実施の形態に係る無線通信システムの動作も、実施の形態１と同様である。
【００６６】
以上のように、本実施の形態に係る無線通信システムでは、上位基地局３０１を省略し、その代わりに各基地局２０１，２５１，２６１は、チャンネル初期値メモリ部２０５を夫々有している。
【００６７】
したがって、上位基地局３０１を省略できる分、システム全体の規模の縮小化を図ることができ、さらに低価格なシステムを実現できる。
【００６８】
なお、各基地局２０１，２５１，２６１が、隣接チャンネル情報を含んだビーコン信号を移動端末１０１に送信する構成、移動端末１０１が当該ビーコン信号から抽出する構成、および移動端末１０１がハンドオーバの際に事前に隣接基地局のチャンネルを認識している構成等は、実施の形態２と実施の形態１とので同じである。
【００６９】
したがって、よって、無線ＬＡＮ等におけるランダムな送受信を行う通信システムでも、効率的に短時間に上記スキャン処理を実施することができる。
【００７０】
さらに、本実施の形態に係る無線通信システムにおいても、基地局２０１，２５１，２６１の設置状況に応じて、各基地局２０１，２５１，２６１に電波の伝播特性を考慮した周波数帯域の割り付けを行う。そして、基地局２０１，２５１，２６１からの信号の受信レベルに応じて、ハンドオーバの際にスキャンすべき無線周波数帯域を選択する。
【００７１】
したがって、見通しの良い場所では伝送効率の高い通信を可能にし、見通しの悪い場所でも不感地帯の発生を回避し通信を継続する、という特徴を持つ無線周波数切替方式を実現することができる。
【図面の簡単な説明】
【００７２】
【図１】実施の形態１に係る無線通信システムの構成を示す図である。
【図２】システムの利用形態の一例を示す図である。
【図３】受信レベルと所定の閾値とに応じて、スキャンすべき無線周波数帯域を選択することを説明する図である。
【図４】実施の形態２に係る無線通信システムの構成を示す図である。
【符号の説明】
【００７３】
１０１  移動端末、１０２  無線送受信部（移動端末側）、１０４  ビーコン処理部（移動端末側）、２０１，２５１，２６１  基地局、２０３  ビーコン処理部（基地局側）、２０４  無線送受信部（基地局側）、２０５  チャンネル初期値メモリ部、３０１  上位基地局、４０１  有線ＬＡＮ、６０１  無線ＬＡＮ。
【図１】
2008271011.tif 000003
【図２】
2008271011.tif 000004
【図３】
2008271011.tif 000005
【図４】
2008271011.tif 000006